(57)【要約】【課題】ＬＥＤとレンズとを用いた集光形スポットライトに、付加的に、簡易に装着可能であり、照明器具自体を明るくするフードを提供する。【解決手段】フード１０００は、ＬＥＤを用いた集光形スポットライトの中空形状の照射口に装着され、透光性を有する軟質弾性材で形成された中空形状の集光形スポットライト用フードである。フード１０００は、挿入側フード端部１００を備えている。挿入側フード端部１００は、所定の長さＬの中空形状をなすと共に外側の形状が照射口２００の内側の形状に合致し、中空形状の照射口２００の内側に照射口２００の端から記所定の長さＬにわたって外側が挿入されると共に、肉厚が挿入方向Ｘに向かうに従って、Ｔ１からＴ２へと次第に厚くなることを特徴とする。【選択図】図３
2012064325.tif 000002
【特許請求の範囲】
【請求項１】
ＬＥＤを用いた集光形スポットライトの中空形状の照射口に装着され、透光性を有する軟質弾性材で形成された中空形状の集光形スポットライト用フードであって、
所定の長さの中空形状をなすと共に外側の形状が前記照射口の内側の形状に合致し、前記中空形状の前記照射口の内側に前記照射口の端から前記所定の長さにわたって外側が挿入されると共に、肉厚が挿入方向に向かうに従って次第に厚くなる挿入側フード端部を
備えたことを特徴とする集光形スポットライト用フード。
【請求項２】
前記集光形スポットライトの前記中空形状の前記照射口は、
前記内側の周方向に溝部を備え、
前記挿入側フード端部は、
前記中空形状の外側の表面に、前記照射口の内側に挿入された場合に前記溝部と嵌合するフード側突起部を備えたことを特徴とする請求項１記載の集光形スポットライト用フード。
【請求項３】
前記挿入側フード端部は、
前記中空形状の外側の表面に、複数の前記フード側突起部が形成されたことを特徴とする請求項２記載の集光形スポットライト用フード。
【請求項４】
前記集光形スポットライトの前記中空形状の前記照射口は、
前記フードが挿入される端部の外側に、照射側突起部を備え、
前記挿入側フード端部は、
前記照射口の内側に挿入された場合に、前照射側突起部と嵌合する挿入側嵌合部を備えたことを特徴とする請求項１記載の集光形スポットライト用フード。
【請求項５】
前記集光形スポットライトの前記中空形状の前記照射口は、
前記フードが挿入される端部に、外側から前記内側に突き出る複数の突出部を有し、
前記挿入側フード端部は、
前記照射口の内側に挿入された場合に、前記複数の突出部の各突出部と嵌合する複数の突出嵌合部を備えたことを特徴とする請求項１記載の集光形スポットライト用フード。
【発明の詳細な説明】
【技術分野】
【０００１】
この発明は、ＬＥＤを用いた集光形スポットライトに使用するフードに関する。
【背景技術】
【０００２】
シリコンゴムなどの軟質弾性体は、照明器具に安全かつ容易に取り付けることができる。ＬＥＤはほぼ垂直な光なので、レンズを用いた集光形の光はむだのないスポット光にすることができる。
【先行技術文献】
【特許文献】
【０００３】
【特許文献１】特開２００９−２９５３６７号
【特許文献２】特開２００５−１２９３５４号
【発明の概要】
【発明が解決しようとする課題】
【０００４】
しかし、ＬＥＤとレンズを用いた集光形スポットライトの光は直接的な配光となってしまい、器具自体及び照射ポイント以外は暗くなってしまうが、ハロゲンランプを使用する場合のように、照明器具自体も幾分明るくしたいという要求がある。
【０００５】
この発明は、ＬＥＤとレンズを用いた集光形スポットライトに付加的に、簡易に装着可能であり、照明器具自体を明るくするフードの提供を目的とする。
【課題を解決するための手段】
【０００６】
この発明の集光形スポットライト用フードは、
ＬＥＤを用いた集光形スポットライトの中空形状の照射口に装着され、透光性を有する軟質弾性材で形成された中空形状の集光形スポットライト用フードであって、
所定の長さの中空形状をなすと共に外側の形状が前記照射口の内側の形状に合致し、前記中空形状の前記照射口の内側に前記照射口の端から前記所定の長さにわたって外側が挿入されると共に、肉厚が挿入方向に向かうに従って次第に厚くなる挿入側フード端部を備えたことを特徴とする。
【発明の効果】
【０００７】
この発明により、透過光性のあるシリコンゴムなどの軟質弾性体により器具及び器具周辺を明るくすることが可能となる。本発明の集光形スポットライト用フードは、既成のＬＥＤ集光形スポットライトにも容易に取り付け、取り外しが可能なため、集光形スポットライト用フードを付加的に使用することで、設置後に器具のイメージを変えることができる。
【図面の簡単な説明】
【０００８】
【図１】実施の形態１のスポットライト２０００の外観斜視図。
【図２】実施の形態１のフード１０００の外観斜視図。
【図３】実施の形態１のフード１０００とスポットライト２０００との基本的な取り付け関係を説明する図。
【図４】実施の形態１のフード１０００とスポットライト２０００との実際の取り付け関係を説明する断面図。
【図５】実施の形態２のフード１０００とスポットライト２０００との実際の取り付け関係を説明する断面図。
【図６】実施の形態２の突起部が複数の場合を示す断面図。
【図７】実施の形態２のネジ止め方法の場合を示す断面図。
【発明を実施するための形態】
【０００９】
実施の形態１．
図１は、実施の形態１の、ＬＥＤを用いた集光形スポットライト２０００（以下、スポットライト２０００という）の外観斜視図である。
【００１０】
図２は、実施の形態１の集光形スポットライト用フード１０００（以下、フード１０００という）の外観斜視図である。
図２の（ａ）は、フード１０００をスポットライト２０００への装着側１０００ｂの反対側１０００ａからみた斜視図である。
図２の（ｂ）は、フード１０００をスポットライト２０００への装着側１０００ｂからみた斜視図である。
【００１１】
図３は、フード１０００とスポットライト２０００との基本的な取り付け関係を説明する図である。図３は、フード１０００及びスポットライト２０００を中空円筒形状とみなし、その断面を表している。図３に示すフード１０００は、透光性を有する軟質弾性材（軟質弾性体）で形成された中空形状のフードである。フード１０００は、端部に挿入側フード端部１００を備えている。挿入側フード端部１００は、所定の長さＬの中空形状をなすと共に外側の形状が、スポットライト２０００の照射口２００の内側の形状に合致した形状である。挿入側フード端部１００は、中空形状の照射口２００の内側に、照射口２００の端から所定の長さＬにわたって外側が挿入される。そして、挿入側フード端部１００は、肉厚Ｔが挿入方向Ｘに向かうに従って次第に厚くなる。すなわち、図３に示すように、挿入方向Ｘに向かうに従って、肉厚がＴ１からＴ２へと次第に厚くなる。
【００１２】
挿入側フード端部１００の端は、スポットライト２０００のレンズカバー２２０の付近に位置する。よって、肉厚がＴ１からＴ２へと次第に厚くなるので、ＬＥＤから放射されて、この肉厚の変化する挿入側フード端部１００に入った光は、挿入側フード端部１００の外へ逃げにくくなるので、フード１０００は、光りやすくなる。
【００１３】
図４は、フード１０００とスポットライト２０００との、実際の取り付け関係を説明する断面図である。図４に示すように、フード１０００の挿入側フード端部１００は、照射口２００に装着するための、全周にわたる「くぼみ１０３」（挿入側嵌合部）、くぼみ１０３を形成する突起部１０５（全周にわたる）および、挿入側フード端部１００の外径側１０６により、スポットライト２０００の照射口２００を挟み込む構造である。くぼみ１０３により、照射口２００の外径側に形成された突起２０２（照射側突起部）の入るスペースを作ることで、突起２０２がわずかであっても、外れにくい構造である。以上のように、挿入側フード端部１００は、照射口２００の内側に挿入された場合に、突起２０２と嵌合するくぼみ１０３を備えたので、照射口２００から外れにくい。
【００１４】
フード１０００は、例えばシリコンゴム等の軟質弾性材である。以下、シリコンゴムを想定して説明する。フード１０００は材質がシリコンゴムであるため、照射口２００に押し込むことで容易に取り付けることができ、取り付け状態から取り付け方向と反対方向に引っ張ることで取り外すことができる。なおシリコンゴム以外に、天然ゴムや合成ゴムを素材として使用することができる。
【００１５】
フード１０００は、シリコンの硬度を高めることで、外から力が加えられた時にも強い弾性力が働き外れにくい効果を生む。
【００１６】
シリコンゴムなどの軟質弾性体のフード１０００は透過性があり、光を拡散させる。これにより、器具（スポットライト２０００）及び器具周辺を明るくすることができる。よってフード１０００を用いることで、ＬＥＤとレンズとを用いた集光形スポットライトであっても、あたかもミラー付ハロゲンランプを使用しているかの様な雰囲気（イメージ）を出すことができる。フード１０００であればスポットライト２０００（器具）に対して、容易に取り付け、取り外しができるので、器具設置後においてフード１０００を取り付け、取り外しすることで、器具のイメージを変えることができる。
【００１７】
実施の形態２．
図５は、実施の形態２のフード１０００の挿入側フード端部１００の断面図である。
【００１８】
照射口２００は、フード１０００と勘合する内側の周方向に溝２０７（溝部）が形成されている。挿入側フード端部１００の外径側の表面には、照射口２００の内側に挿入された場合に、溝２０７にはまる、突起部１０８（フード側突起部）が形成されている。これにより、外部から力を加えらた時にも、フード１０００は筒状であることから、左右に力が逃げるので、照射口２００から外れにくくなる。
【００１９】
図６は、突起部１０８を、突起部１０８ａ，１０８ｂ，１０８ｃとに、複数設けた構成である。突起部を複数設けることで、フード１０００に力が加えられたときの突起部に加わる力を分散できる。このように、中空形状の挿入側フード端部１００の外径側の表面に、複数の突起部が形成されることで突起部への力を分散する。
【００２０】
図７は、ネジ２１１を使用する構成である。図７のように照射口２００にネジ穴２０９をあけ、挿入側フード端部１００にはネジ２１１の入るくぼみ１１０を作っておく。これにより、ネジ止めによりフード１０００の落下を防止できる。
【００２１】
このように、中空形状の照射口２００は、フード１０００が挿入される端部に、外側から内側に突き出る複数のネジ２１１（突出部）を有する。そして、挿入側フード端部１００は、照射口２００の内側に挿入された場合に、複数のネジ２１１の各ネジ２１１と嵌合する複数のくぼみ１１０を備えた。よって、このネジ止めにより、フード１０００の落下を確実に防止できる。
【符号の説明】
【００２２】
１０００  フード、１００  挿入側フード端部、１０３  くぼみ、１０５  突起部、１０６  外径側、０８  突起部、１０８ａ〜１０８ｃ  突起部、１１０  くぼみ、２０００  スポットライト、２００  照射口、２０２  突起、２０７  溝、２０９  ネジ穴、２１１  ネジ、２２０  レンズカバー。
【図１】
2012064325.tif 000003
【図２】
2012064325.tif 000004
【図３】
2012064325.tif 000005
【図４】
2012064325.tif 000006
【図５】
2012064325.tif 000007
【図６】
2012064325.tif 000008
【図７】
2012064325.tif 000009